(57)【要約】      （修正有）【課題】情報処理装置における肌の状態の解析精度の向上を支援するための携帯電話に装着可能な携帯電話用拡張機器を提供する。【解決手段】撮像素子１２２を備える携帯電話１２０に装着可能な携帯電話用拡張機器１００であって、被写体から撮像素子１２２へ光を通過させるように設けられた被写体側開口部及び携帯電話側開口部１１０を有する筐体と、筐体の外面の被写体側開口部の周辺に設けられた水分量検出センサ１０８とを備える。これにより、情報処理装置は肌の状態の解析精度を向上させることができる。【選択図】図１
2010160286.tif 000002
【特許請求の範囲】
【請求項１】
撮像素子を備える携帯電話に装着可能な携帯電話用拡張機器であって、
被写体から前記撮像素子へ光を通過させるべく、前記携帯電話に接する第１の面に設けられた携帯電話側開口部、及び前記第１の面と異なる第２の面に設けられた被写体側開口部を有する筐体と、
前記筐体の外面の前記被写体側開口部の周辺に設けられた水分量検出センサと
を備える携帯電話用拡張機器。
【請求項２】
前記水分量検出センサにより検出された水分量に応じて点灯する発光部をさらに備える
請求項１に記載の携帯電話用拡張機器。
【請求項３】
前記発光部は、前記筐体の外部から視認可能に点灯する
請求項２に記載の携帯電話用拡張機器。
【請求項４】
前記発光部は、前記筐体の内部に設けられ、前記撮像素子により撮像される画像の画角内に点灯する
請求項２又は３に記載の携帯電話用拡張機器。
【請求項５】
前記発光部は、前記筐体の内面の前記被写体側開口部の周辺で点灯する
請求項４に記載の携帯電話用拡張機器。
【請求項６】
前記水分量検出センサと前記被写体側開口部とは同一平面上に設けられている
請求項１から５の何れかに記載の携帯電話用拡張機器。
【発明の詳細な説明】
【技術分野】
【０００１】
本発明は、携帯電話に装着可能な携帯電話用拡張機器に関する。
【背景技術】
【０００２】
特許文献１及び特許文献２には、拡大レンズを備えたユニットを携帯電話に取り付けることにより、携帯電話のカメラで拡大画像を撮像することが記載されている。
【０００３】
【特許文献１】特開２００３−３１５９０５号公報
【特許文献２】特開２００４−２７９７３３号公報
【発明の開示】
【発明が解決しようとする課題】
【０００４】
上記特許文献では、携帯電話で撮像された肌の画像を見ることにより、ユーザは肌の状態を認識することができる。また、情報処理装置において、撮像された肌の画像を解析することにより、ユーザは肌の状態をより精度良く認識することもできる。しかしながら、肌の画像のみに基づいて肌の状態を解析するので、同じ肌でも撮影の仕方、撮影条件等によって大きく異なり、肌の状態を精度良く解析することはできない。
【課題を解決するための手段】
【０００５】
上記課題を解決するために、本発明の形態においては、撮像素子１２２を備える携帯電話１２０に装着可能な携帯電話用拡張機器１００であって、被写体から撮像素子１２２へ光を通過させるように設けられた被写体側開口部１１５及び携帯電話側開口部１１０を有する筐体と、筐体の外面の被写体側開口部１１５の周辺に設けられた水分量検出センサ１０８とを備える。
【０００６】
なお、上記の発明の概要は、本発明の必要な特徴の全てを列挙したものではない。また、これらの特徴群のサブコンビネーションもまた、発明となりうる。
【発明の効果】
【０００７】
本発明によれば、携帯電話による肌の撮影を支援することができるとともに、肌の水分量も検出することができる。撮像された画像と肌の水分量に基づいて肌の状態の解析を行うことができ、肌の状態の解析精度の向上を支援することができる。
【発明を実施するための最良の形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、携帯電話用拡張機器１００を携帯電話１２０に装着したときの様子の一例を示す。携帯電話１２０は、撮影レンズ１２１、撮像素子１２２を備える。携帯電話用拡張機器１００は、外部からの光を携帯電話１２０へ通過させるための開口部、及びレンズを有する。レンズは、携帯電話用拡張機器１００を通る光の光路上に設けられている。携帯電話用拡張機器１００の光軸と、携帯電話１２０の光軸とが一致するように、携帯電話用拡張機器１００を携帯電話１２０に装着することにより、携帯電話用拡張機器１００を通過した光が携帯電話１２０の撮影レンズ１２１に入射される。この入射された光が携帯電話１２０の撮像素子１２２に撮像される。携帯電話用拡張機器１００の装着部１１７によって、携帯電話用拡張機器１００が携帯電話１２０に装着される。
【００１０】
図２は、実施の形態に係る携帯電話用拡張機器１００の分解斜視図を示す。携帯電話用拡張機器１００は、底面部１０１、鏡筒１０２、回路基板１０３、照射部１０４、照射基板１０５、遮蔽部１０６、本体部１０７、水分量検出センサ１０８、及び拡散板１０９を備える。底面部１０１及び本体部１０７が一体となって携帯電話用拡張機器１００の筐体を形成する。なお、本実施の形態では、上とは、本体部１０７がある方向とする。下とは、底面部１０１がある方向とする。また、前とは、本体部１０７の幅が細くなっている方向とする。後ろとは、本体部１０７の幅が太くなっている方向とする。
【００１１】
底面部１０１は、携帯電話用拡張機器１００の筐体の底面としての役割を有する。底面部１０１は、携帯電話１２０に接する第１の面となる。また、底面部１０１は、携帯電話側開口部１１０を有する。携帯電話用拡張機器１００が携帯電話１２０に装着されるときには、底面部１０１が携帯電話１２０の光学系がある面に隣接する。つまり、携帯電話側開口部１１０は、携帯電話１２０の撮像側に接する面に設けられている。携帯電話側開口部１１０の面積は、携帯電話用拡張機器１００に装着される携帯電話１２０の光学系の面積以上の面積を有することが好ましい。つまり、携帯電話側開口部１１０は、携帯電話１２０の撮影レンズ１２１及び撮像素子１２２に入射される光を遮らないような広さを有することが好ましい。携帯電話側開口部１１０は円形であるが矩形であってもよく、多角形であってもよい。
【００１２】
鏡筒１０２は、レンズを収納する。鏡筒１０２は円柱の形状を有する。回路基板１０３は、バッテリー１１１、発光部１１２、制御部１１３、及び電源スイッチ１１４を有する。回路基板１０３は、開口部を有する。回路基板１０３の開口部の大きさは、鏡筒１０２が光軸方向に入る大きさを有する。バッテリー１１１は、発光部１１２、制御部１１３、及び照射部１０４に電力を供給する。発光部１１２は光を点灯する。発光部１１２は複数の発光体を備える。発光体は発光素子であってもよい。制御部１１３は、発光部１１２の点灯、照射部１０４の照射を制御する。電源スイッチ１１４は携帯電話用拡張機器１００の電源のオン、オフを切り替える。
【００１３】
照射部１０４は、光を照射する。照射基板１０５は、照射部１０４を固定する。照射基板１０５は、部分円錐状の形状を有する。部分円錐状とは、円錐の錐状に尖った部分を切断した形状のことをいう。部分円錐状で形成される照射基板１０５の下の円は上の円より小さい。拡散板１０９は、照射部により照射された光を拡散する。拡散板１０９は、部分円錐状の形状を有する。部分円錐状で形成される拡散板１０９の下の円は上の円より小さい。遮蔽部１０６は、照射部により照射された光を遮蔽する。遮蔽部１０６は、照射部１０４により照射された光が照射したい領域以外にいかないように光を遮蔽する。遮蔽部１０６は、部分円錐状の形状を有する。部分円錐状で形成される遮蔽部１０６の下の円は上の円より大きい。
【００１４】
本体部１０７は被写体側開口部１１５を有する。また、被写体側開口部１１５は第２の面に設けられている。被写体側開口部１１５は、円形であるが矩形であってもよく、多角形であってもよい。本体部１０７及び底面部１０１により構成される携帯電話用拡張機器の筐体は、鏡筒１０２、回路基板１０３、照射部１０４、照射基板１０５、遮蔽部１０６、本体部１０７、及び拡散板１０９を収納して、外部からの衝撃等を防ぐ。また、本体部１０７及び底面部１０１は、携帯電話用拡張機器１００の外観を形成する。
【００１５】
本体部１０７の被写体側開口部１１５及び底面部１０１の携帯電話側開口部１１０は、互いに対向する面に設けられ、且つ、鏡筒１０２の光軸上に設けられている。つまり、被写体から携帯電話１２０の撮像素子１２２へ光を通過させるように被写体側開口部１１５、携帯電話側開口部１１０、鏡筒１０２が筐体内に設けられている。また、本体部１０７は、発光部１１２が外部から視認できるような開口部を有する。また、本体部１０７は、電源スイッチ１１４が外部から操作できるような開口部を有する。なお、発光部１１２自体が外部から視認できるようにしたが、発光部１１２自体は外部から視認できなくてもよい。例えば、反射板等を用いて発光部１１２により発光された光を外部から視認できるようにしてもよい。つまり、発光部１１２は外部から視認可能に点灯すればよい。
【００１６】
また、本体部１０７は、装着部１１７を有する。装着部１１７は、携帯電話用拡張機器１００を携帯電話１２０に装着させる。装着部１１７は、携帯電話用拡張機器１００の左右から携帯電話１２０を挟みこむような略コの字型の形状を有している。この装着部１１７は、可撓性を有する。この装着部１１７の足のような形をした部分に内側から力を加えると、力が加えられた方向に撓み、足が左右に開いた状態となる。そして、力が加えられなくなると元の状態に戻り、携帯電話１２０を挟みこむ。このようにして、装着部１１７は、携帯電話用拡張機器１００を携帯電話１２０に装着させる。また、携帯電話用拡張機器１００は、装着部１１７に沿って左右にスライドすることができる。
【００１７】
水分量検出センサ１０８は、検出対象物の水分量を検出する。水分量検出センサ１０８は、肌の水分量を検出する。水分量検出センサ１０８は、２つの電極で構成された小型静電容量センサであってもよい。水分量検出センサ１０８は、検出対象物に含まれる水分の量を静電容量の大きさから検出する。水分量検出センサ１０８は、本体部１０７の被写体側開口部１１５と同一平面状に設けられてよい。また、水分量検出センサ１０８は、本体部１０７の表面上に設けられてよい。ここでは、水分量検出センサ１０８は円形の形状を有する。た、水分量検出センサ１０８は、被写体側開口部１１５の周囲に設けられてよい。また、水分量検出センサ１０８の円形の中に、被写体側開口部１１５があるように水分量検出センサ１０８を、被写体側開口部１１５の外面に設ける。
【００１８】
図３は、側面から見た携帯電話用拡張機器１００の断面図を示す。鏡筒１０２は、１又は２以上のレンズを備える。レンズは、接写レンズ、ズームレンズのいずれかのレンズであってもよく、他のレンズであってもよい。鏡筒１０２は、底面部１０１の携帯電話側開口部１１０の上部に設けられている。鏡筒１０２の光軸方向に垂直な方向の断面面積は、携帯電話側開口部１１０の面積以上の面積を有する。
【００１９】
回路基板１０３の開口部に鏡筒１０２が入る。回路基板１０３は、鏡筒１０２の略中央から上端との間に設けられているようにしたが、鏡筒１０２の上端に設けるようにしてよく、また鏡筒１０２の略中央より下方向に設けられているようにしてもよい。また、回路基板１０３は、開口部を有しなくても良い。この場合は、鏡筒１０２とは別個に回路基板１０３を携帯電話用拡張機器１００の筐体内部に配置する。
【００２０】
照射基板１０５は、回路基板１０３の開口部の上部に設けられている。部分円錐状に形成された照射基板１０５の下の円に鏡筒１０２の上部が挿入される。照射部１０４は、部分円錐状の照射基板１０５の内側に設けられている。なお、照射基板１０５は、鏡筒１０２の上部に設けられてもよい。照射基板１０５は、照射部１０４が本体部１０７の被写体側開口部１１５の開口面に対して鋭角に光を入射するように照射部１０４を固定する。つまり、照射部１０４が被写体側開口部１１５に対して、鋭角に光を入射するように、照射基板１０５の傾斜角度、大きさ等が調整される。なお、照射基板１０５は、部分円錐状の形状を有するようにしたが、これに限定されるものではない。照射部１０４により発光された光が被写体側開口部１１５の開口面に対して鋭角で光を入射させるように照射部１０４を固定させるものであればよい。また、単に照射部１０４が発光した光が開口面に対して照射するように照射部１０４を固定してもよい。
【００２１】
拡散板１０９は、照射基板１０５の上部に設けられている。部分円錐状に形成された拡散板１０９の下の円に鏡筒１０２の上部が挿入される。これにより、被写体側開口部１１５に対してあらゆる方向から照射部１０４により照射された光を当てることができる。また、拡散板１０９は、部分円錐状の形状を有するようにしたが、これに限定されるものではない。照射部１０４により発光された光を拡散するものであればよい。また、拡散板１０９を備えなくてもよい。
【００２２】
遮蔽部１０６は、照射基板１０５の上部に設けられている。部分円錐状に形成された遮蔽部１０６の下の円の範囲内に、照射基板１０５により固定された照射部がある。これにより、照射部により照射された全ての光を被写体側開口部１１５に対して照射させることができる。また、部分円錐状に形成された遮蔽部１０６の上の円の大きさは、本体部１０７の被写体側開口部１１５より大きい。また、部分円錐状に形成された遮蔽部１０６の上の円の大きさは、携帯電話１２０の撮像素子１２２により撮像される画像の画角より大きいことが好ましい。この遮蔽部１０６により照射部１０４から照射された光が本体部１０７の内部で拡散するのを防止することができ、照射部１０４は、被写体側開口部１１５に対して効率よく光を照射できる。なお、遮蔽部１０６を備えなくてもよい。
【００２３】
携帯電話用拡張機器１００を携帯電話１２０の光学系がある面に装着するとき、ユーザは、携帯電話用拡張機器１００の鏡筒の光軸と、携帯電話１２０の光学系の光軸とが一致するように携帯電話用拡張機器１００を携帯電話１２０に装着する。具体的には、携帯電話用拡張機器１００の携帯電話１２０への装着位置を調整すると共に、携帯電話用拡張機器１００を、装着部１１７に沿ってスライドさせることにより、携帯電話用拡張機器１００の鏡筒の光軸と、携帯電話１２０の光学系の光軸とを一致させる。これにより、被写体側開口部内にある被写体が鏡筒１０２、携帯電話側開口部１１０を介して携帯電話１２０の撮像素子１２２により撮像される。
【００２４】
また、本体部１０７の被写体側開口部１１５がある面の内側に、自発光しない液晶パネル１１８を設けるようにしてもよい。この液晶パネル１１８は、被写体側開口部１１５の付近に設けてよい。また、携帯電話１２０の撮像素子１２２の画角内に液晶パネルを設けてもよい。この液晶パネル１１８は、水分量検出センサ１０８が検出した水分量に応じたレベルを表示させる。液晶パネル１１８を制御して、液晶パネルのそれぞれの液晶領域が、照射部１０４が照射した光を透過及び反射することにより、水分量に応じたレベルを表示する。これにより、水分量に応じたレベルを表示させることができる。制御部１１３は、液晶パネルを制御してもよい。また、回路基板１０３と液晶パネル１１８は電気的に接続されている。携帯電話１２０の撮像素子１２２は、被写体側開口部１１５内にある被写体と液晶パネル１１８が表示した水分量に応じたレベルを撮像することができる。
【００２５】
図４は、携帯電話用拡張機器１００の制御部１１３の動作を示すフローチャートである。ユーザは、携帯電話１２０の光学系の光軸と携帯電話用拡張機器１００の光軸とが一致するように、携帯電話用拡張機器１００を携帯電話１２０の光学系がある面に装着する。そして、ユーザが電源スイッチ１１４の操作により電源がオンされると、制御部１１３は、光を照射するように照射部１０４を制御する。（ステップＳ１）。これにより、被写体側開口部１１５とその周辺に光が照射される。
【００２６】
ここで、ユーザは電源をオンにすると、携帯電話用拡張機器１００の被写体側開口部１１５がある面にユーザの肌を密着させる。これにより、水分量検出センサ１０８は肌と密着され、水分量検出センサ１０８は肌の水分量を検出することができる。また、携帯電話用拡張機器１００と被写体側開口部１１５とが密着されているので、被写体側開口部１１５はユーザの肌によって外部の光が遮られてしまうが、照射部１０４が被写体側開口部１１５に対して光を照射しているので、携帯電話１２０の撮像素子１２２で被写体側開口部１１５内にあるユーザの肌を撮影することができる。
【００２７】
また、光が肌の表面の溝、皺等に光が垂直に入射すると、肌の表面の溝、皺等が浮き出なくなり平坦な肌しか撮影できない。しかし、照射部１０４は、被写体側開口部１１５の開口面に対して鋭角に光が入射するように照射するので、ユーザの肌の表面の溝、皺等を携帯電話１２０の撮像素子１２２は撮像することができる。これにより肌の状態を精度よく撮影することができる。
【００２８】
そして、制御部１１３は、水分量検出センサ１０８により水分量が検出されたか否かを判断する（ステップＳ２）。ユーザの肌が水分量検出センサ１０８に触れると、水分量検出センサ１０８は、水分量を検出する。
【００２９】
ステップＳ２で、水分量が検出されていないと判断するとステップＳ４に留まる。ステップＳ２で、水分量が検出されたと判断すると、制御部１１３は、検出した水分量に応じて、点灯するように発光部１１２を制御して（ステップＳ３）、ステップＳ４に進む。
【００３０】
なお、検出した水分量に応じた色の光を発光させるようにしてもよい。また、検出した水分量に応じた強度の光を発光させるようにしてもよい。また、これらを組み合わせて光を発光させるようにしてもよい。水分量のレベルをユーザに視認させるものであればよい。したがって、発光部１１２に換えて、または、加えて表示部を備え、該表示部が検出された水分量のレベルを表示させる方法であってもよい。また、液晶パネル１１８を被写体側開口部１１５がある面の内側に設けている場合は、制御部１１３は、検出された水分量に応じたレベルを液晶パネル１１８に表示させる。
【００３１】
ステップＳ４に進むと、制御部１１３は、ユーザの電源スイッチ１１４の操作により電源がオフされたか否かを判断する。ステップＳ４で、電源がオフされていないと判断するとステップＳ４に留まる。ユーザは、被写体側開口部１１５がある面に肌を密着させた状態で携帯電話１２０の撮像素子１２２で画像を撮影した場合には、電源スイッチ１１４を操作することにより電源をオフさせる。このとき、ユーザは電源をオフさせる前に発光部１１２が示した水分量のレベルを覚えておく。
【００３２】
ステップＳ４で、電源がオフされたと判断すると、電源をオフさせる。具体的には、制御部１１３は照射部１０４による光の照射を終了させ、発光部１１２による点灯を終了させる。
【００３３】
そして、ユーザはパソコン、サーバ等の情報処理装置に、携帯電話１２０で検出された水分量のレベルと携帯電話１２０で撮像された画像を与える。そして、情報処理装置は、該携帯電話１２０が撮像した肌の画像と発光部１１２が示した水分量のレベルとに基づいて肌の状態、例えば、肌年齢、肌の美しさ等を解析することができる。したがって、肌の状態を精度よく解析することできる。肌の画像のみに基づいて肌の状態を解析する場合は、画像のみにしか解析材料がないため正確に判断ができないが、肌の画像と肌の水分量を一緒に得ることができるので、正確に肌の状態を解析することが可能となる。なお携帯電話１２０が、撮像した肌の画像と水分量レベルに基づいて肌の状態を解析してもよい。なお、液晶パネル１１８を被写体側開口部１１５がある面の内側に設けている場合は、携帯電話１２０の撮像素子１２２が、肌の画像と、表示された水分量に応じたレベルとを撮像しているので、撮像した画像のみを画像処理装置に与えればよい。つまり、撮像した画像の中に肌の画像と水分量のレベルが写っているので、ユーザがわざわざ検出された水分量のレベルを入力する必要はない。
【００３４】
このように、本体部１０７の被写体側開口部１１５の周辺に水分量検出センサ１０８を設けるようにしたので、携帯電話用拡張機器１００で肌の画像の撮像を可能とするとともに、肌の水分量も検出することができ、手間もかからない。また、撮像された肌の画像と検出された水分量に基づいて情報処理装置で精度良く肌の状態を解析することが可能となる。また、情報処理装置における肌の状態の解析精度の向上を支援するための携帯電話用拡張機器１００を提供することができる。また、被写体側開口部１１５の周辺に水分量検出センサ１０８を設けるので、撮像対象となる部位と水分量の検出対象となる部位とを同じにできる。例えば、被写体側開口部１１５を顔の頬に当てれば、撮像される部位は頬であり、水分量が検出される部位は頬となる。また、被写体側開口部１１５を円形としたので、被写体側開口部１１５内の被写体画像を、撮影画像が縦長または横長に関わらず、容易にトリミングすることができる。
【００３５】
なお、上記実施の形態は、以下のように変形することもできる。
【００３６】
（１）実施の形態では、筐体は、携帯電話側開口部１１０及び被写体側開口部１１５以外からは、殆ど外部の光が入らない状態としたが、携帯電話側開口部１１０及び被写体側開口部１１５以外から外部の光が入るように筐体を形成してもよい。この場合は、筐体に携帯電話側開口部１１０及び被写体側開口部１１５以外に光が入射される開口部を備えるようにしてもよい。また、筐体をガラス等の光が透過する部材で形成するようにしてもよい。これにより、携帯電話用拡張機器１００が携帯電話１２０に装着され、被写体側開口部１１５が肌等で塞がれていても筐体内部は暗くならないので、照射部１０４を備える必要はなくなる。また、携帯電話用拡張機器１００は鏡筒１０２を備えなくてもよい。
【００３７】
（２）実施の形態では、液晶パネル１１８を本体部１０７の中に設ける場合は、発光部１１２を設けなくてもよい。また、発光部１１２のみを設けるようにしてもよい。また、発光部１１２は外部から視認可能に点灯するようにしたが、外部から視認できない状態で、筐体内部で点灯するようにしてもよい。この場合は、発光部１１２は、携帯電話１２０の撮像素子１２２により撮像される画像の画角内に点灯する。これにより、ユーザは携帯電話用拡張機器１００の外部から検出された水分量を視認することができないが、携帯電話１２０で撮像された画像を見ることにより検出された水分量のレベルを確認できる。また、撮像された画像には、肌と水分量のレベルが写っているので、情報処理装置は１枚の画像に基づいて精度良く肌の状態を解析することができる。また、１枚の画像を情報処理装置に与えればよいので、わざわざ検出された水分量のレベルを情報処理装置に与える必要はなく、ユーザの手間がかからない。また、発光部１１２は本体部１０７の内面の被写体側開口部１１５の周辺で点灯するようにしてもよい。
【００３８】
（３）上記変形例（２）において、発光部１１２自体が携帯電話１２０の撮像素子１２２に撮像される必要はない。要は、発光部１１２により点灯された光が携帯電話１２０の撮像素子１２２に撮像されればよい。例えば、発光部１１２と光ケーブルの一端を接続して、光ケーブルの他端を携帯電話１２０の撮像素子１２２に撮像させるようにしてもよい。
【００３９】
（４）実施の形態では、照射部１０４により照射される光が被写体側開口部１１５の開口面に対して鋭角に入射するように、照射基板１０５が照射部１０４を固定したが、反射板等を用いて照射部１０４により照射された光を被写体側開口部１１５の開口面に対して鋭角に入射させるものでもよい。つまり、照射部１０４が、被写体側開口部に入射する光を照射すればよい。
【００４０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４１】
【図１】携帯電話用拡張機器１００を携帯電話１２０に装着したときの様子の一例を示す。
【図２】実施の形態にかかる携帯電話用拡張機器１００の分解斜視図を示す。
【図３】側面から見た携帯電話用拡張機器１００の断面図を示す。
【図４】携帯電話用拡張機器１００の制御部１１３の動作を示すフローチャートである。
【符号の説明】
【００４２】
１００      携帯電話用拡張機器
１０１      底面部
１０２      鏡筒
１０３      回路基板
１０４      照射部
１０５      照射基板
１０６      遮蔽部
１０７      本体部
１０８      水分量検出センサ
１０９      拡散板
１１０      携帯電話側開口部
１１１      バッテリー
１１２      発光部
１１３      制御部
１１４      電源スイッチ
１１５      被写体側開口部
１１７      装着部
１１８      液晶パネル
１２０      携帯電話
１２１      撮影レンズ
１２２      撮像素子
【図１】
2010160286.tif 000003
【図２】
2010160286.tif 000004
【図３】
2010160286.tif 000005
【図４】
2010160286.tif 000006